(57)【要約】【課題】遊技中であっても入賞装置への入賞率に変化を持たせることが可能で、遊技の興趣を向上させた弾球遊技機を提供する。【解決手段】遊技盤ベース１ａに遊技球の転動流下する遊技領域Ａを備えると共に、該遊技領域Ａに少なくとも一個乃至複数個の遊技部材を備えて遊技盤１を構成し、前記遊技領域Ａを備える遊技盤ベース１ａの少なくとも一部が駆動装置９により所定方向に駆動可能に構成されていることを特徴とする弾球遊技機とした。例えば、遊技盤ベース本体２と、該本体に貫通形成した円筒孔３に回転可能に配設される回転盤６とで構成し、該回転盤に第一及び第二の始動入賞装置１７，１８を異なる位置に配設する。【選択図】    図１
2006149639.tif 000002
【特許請求の範囲】
【請求項１】
遊技盤ベースに遊技球の転動流下する遊技領域を備えると共に、該遊技領域に少なくとも一個乃至複数個の遊技部材を備えて遊技盤を構成し、
前記遊技領域を備える遊技盤ベースの少なくとも一部が駆動装置により所定方向に駆動可能に構成されていることを特徴とする弾球遊技機。
【請求項２】
遊技部材の少なくとも一個は遊技球が入賞可能な入賞装置で、
遊技領域を備える遊技盤ベースの一部若しくは全部が駆動することで前記入賞装置の位置が変位可能であることを特徴とする請求項１に記載の弾球遊技機。
【請求項３】
遊技部材の少なくとも一個は遊技領域を流下する遊技球の動きに変化を与える遊技釘で、
遊技領域を備える遊技盤ベースの一部が駆動することで、前記遊技釘の位置が変位可能であることを特徴とする請求項１に記載の弾球遊技機。
【請求項４】
遊技盤の裏側に表示装置を備え、
遊技盤ベースが透明部材で構成されていることを特徴とする請求項１乃至３のいずれかに記載の弾球遊技機。
【請求項５】
遊技領域を水平方向で上下に二分し、その上下の領域には、前記二分する線を境にして夫々同一構成の遊技部材を対称に配設したことを特徴とする請求項２乃至４のいずれかに記載の弾球遊技機。
【請求項６】
遊技領域を水平方向で上下に二分し、その上下の領域には、前記二分する線を境にして夫々配設した遊技部材の構成が異なっていることを特徴とする請求項２乃至４のいずれかに記載の弾球遊技機。
【請求項７】
駆動装置は、駆動制御手段により駆動制御されており、
該駆動制御手段は、駆動装置により所定方向に駆動する遊技領域の駆動速度を変更可能であることを特徴とする請求項１乃至６のいずれかに記載の弾球遊技機。
【請求項８】
駆動装置は、駆動制御手段により駆動制御されており、
該駆動制御手段は、駆動装置により所定方向に駆動する遊技領域の駆動角度又は駆動方向を変更可能であることを特徴とする請求項１乃至６のいずれかに記載の弾球遊技機。
【発明の詳細な説明】
【技術分野】
【０００１】
本発明は、弾球遊技機に関する。
【背景技術】
【０００２】
弾球遊技機（いわゆるパチンコ機）は、発射装置のハンドルのレバーを時計方向に回転させ、例えば内蔵する発射ソレノイドを作動させて遊技球を遊技盤の遊技領域に打ち出すことにより、該遊技領域に備えた多数の遊技釘や遊技球誘導部材（例えばステージや天通路等）などにより遊技球が転動しつつ流下し、所望な入賞装置に遊技球が入賞することで所望な演出がなされ、かつ賞球を得ることにより遊技を楽しむものである。
【０００３】
従来、遊技球が入賞することにより遊技球の払い出しが行われる一般入賞装置と、表示装置の変動表示を起動すると共に、大当たりとするか否かの抽選処理を起動する始動入賞装置とを備えた弾球遊技機（例えば、特許文献１参照）が知られており、このような従来の弾球遊技機では、これら一般入賞装置や始動入賞装置への入賞率をコントロールする手段として、それらの入賞装置の上方領域の所定箇所に遊技釘（障害釘）を設け、その障害釘の釘調整によって行う手段が採用されていた。
【特許文献１】特開２００４−１３５７９５号公報
【発明の開示】
【発明が解決しようとする課題】
【０００４】
しかし、前記した従来の入賞率コントロール手段を採用する場合、障害釘を調整して入賞率をコントロールするには、ホールの営業時間終了後など、遊技者のいない時間に行う必要があり、ホール営業時間中、すなわち遊技中において入賞率に変化を持たせることは現実的に困難であった。
従って、障害釘の調整によって入賞率が低くなっている遊技機は、当日のホール営業時間終了後までその入賞率の悪い状態のまま設置されることとなる。このような遊技機では、全く面白みに欠け、遊技者の遊技意欲を喪失させてしまうため遊技の興趣低下につながることは勿論のこと、遊技の興趣の低下から稼働率低下をも招く虞があった。
本発明は、このような問題を解決するためになされており、その目的とするところは、遊技中であっても入賞装置への入賞率に変化を持たせることが可能で、遊技の興趣を向上させた弾球遊技機を提供することにある。
【課題を解決するための手段】
【０００５】
このような目的を達成するために、第１の発明は、遊技盤ベース１ａに遊技球の転動流下する遊技領域Ａを備えると共に、該遊技領域Ａに少なくとも一個乃至複数個の遊技部材を備えて遊技盤１を構成し、前記遊技領域Ａを備える遊技盤ベース１ａの少なくとも一部が駆動装置９により所定方向に駆動可能に構成されていることを特徴とする弾球遊技機としたことである。
【０００６】
本発明によれば、遊技領域Ａを備える遊技盤ベース１ａの少なくとも一部が駆動装置９を介して駆動されるため、遊技球の転動流下が変化する。よって、遊技者は、表示装置１２の変動表示を起動すると共に、大当たりとするか否かの抽選処理を起動する始動入賞装置１７（１８）や、遊技球が入賞することにより遊技球の払い出しが行われる一般入賞装置２０などの入賞装置に、様々な角度からアプローチすることができる。
従って、本発明によれば、遊技中であっても入賞装置１７への入賞率に変化を持たせることが可能となったので、遊技の興趣を向上できる。
【０００７】
第２の発明は、第１の発明において、遊技部材の少なくとも一個は遊技球が入賞可能な入賞装置１７で、遊技領域Ａを備える遊技盤ベース１ａの一部若しくは全部が駆動することで前記入賞装置１７の位置が変位可能であることを特徴とする弾球遊技機としたことである。
本発明によれば、遊技領域Ａを備える遊技盤ベース１ａの一部若しくは全部の駆動により遊技球の転動流下を変化させることができると共に、その入賞装置１７の開口１７ａ位置を上下左右に変位させることができるため、障害釘構成の悪い（入賞装置１７に入賞し難い）遊技機でも入賞装置１７への入賞チャンスが広がる。
さらに、入賞装置１７の位置が変位するため、遊技者の発射技量を活かすことでき、高度な発射技量を有している者にとっても遊技の興趣が図れる。
また、本発明によれば、遊技領域の一部を駆動させる形態の場合、始動入賞装置１７や一般入賞装置２０などの入賞装置を備えた領域を駆動可能な第１の領域Ａ１とし、これ以外の領域を駆動しない第２の領域Ａ２として、１つの遊技領域Ａ中で駆動する領域Ａ１と駆動しない領域Ａ２が並存する新規な構造を遊技者に提供でき、遊技者は遊技領域の変化を楽しみつつ遊技を行うことも出来る。また、遊技領域Ａの全域を駆動させる形態の場合、遊技者は遊技領域Ａ全体が駆動するダイナミックな動きを楽しみつつ遊技を行うことが出来る。
【０００８】
第３の発明は、第１の発明において、遊技部材の少なくとも一個は遊技領域を流下する遊技球の動きに変化を与える遊技釘２２で、遊技領域Ａを備える遊技盤ベース１ａの一部が駆動することで、前記遊技釘２２の位置が変位可能であることを特徴とする弾球遊技機としたことである。
本発明によれば、例えば駆動する遊技領域Ａ１を備える遊技盤ベース１ａ中に、始動入賞装置１７に入賞し難い遊技釘２２構成と、始動入賞装置１７に入賞し易い遊技釘２２構成の双方を備えるものとすれば、遊技中であっても入賞装置１７への入賞率に変化を持たせることが可能で、遊技の興趣を向上できる。
【０００９】
第４の発明は、第１乃至第２のいずれかの発明において、遊技盤の１裏側に表示装置１２を備え、遊技盤ベース１ａが透明部材で構成されていることを特徴とする弾球遊技機としたことである。
本発明によれば、表示装置１２による演出表示等を備えた形態の遊技機とした場合において、遊技盤ベース１ａを非透明部材で構成すると、表示装置１２による表示領域部分に対応する遊技盤ベース１ａの一部をくり貫き成形する必要があるが、遊技盤ベース１ａ全体を透明性部材で構成し、遊技盤１の裏側に表示装置１２を備えるものとすれば、遊技盤ベース１ａをくり貫き成形しなくてもよく製造手間及び製造コストを抑えることができる。
【００１０】
第５の発明は、第２乃至第４のいずれかの発明において、遊技領域Ａ１を水平方向で上下に二分し、その上下の領域Ｄ１，Ｄ２には、前記二分する線Ｂを境にして夫々同一構成の遊技部材（遊技釘２２・風車２７・各入賞装置１７など）を対称に配設したことを特徴とする弾球遊技機としたことである。
本発明によれば、例えば、遊技領域Ａ１が１８０度回転駆動した場合でも、同一の遊技部材構成で遊技を行うことができる。すなわち、例えば上下の領域Ｄ１，Ｄ２に夫々の開口１７ａ部を対向させて始動入賞装置１７を１つずつ備えれば、始動入賞装置１７が再び同一位置に来る構成とできる。
【００１１】
第６の発明は、第２乃至第４のいずれかの発明において、遊技領域Ａ１を水平方向で上下に二分し、その上下の領域Ｄ１，Ｄ２には、前記二分する線Ｂを境にして夫々配設した遊技部材の構成が異なっていることを特徴とする弾球遊技機としたことである。
本発明によれば、例えば、上下の領域Ｄ１，Ｄ２で微妙な釘調整をしておけば、一方で始動入賞装置１７に入賞し難い遊技釘２２構成、他方で始動入賞装置１７に入賞し易い遊技釘２２構成を遊技者に提供することができる。従って、遊技領域Ａ１の駆動（回転駆動）が遊技者にとって大変興味深いものとなり、遊技中において入賞率に変化を持たせることができ、遊技の興趣の向上が図れる。
【００１２】
第７の発明は、第１乃至第６の発明において、駆動装置９は、駆動制御手段により駆動制御されており、該駆動制御手段は、駆動装置９により所定方向に駆動する遊技領域Ａ１の一部若しくは全部の駆動速度を変更可能であることを特徴とする弾球遊技機としたことである。
本発明によれば、例えば、遊技状態が通常の遊技状態の時には通常の速度で駆動し、遊技状態が時短中など遊技者に有利な状態である時には、通常の速度よりも遅い速度で駆動させることが可能である。このような制御を行うことにより、入賞装置１７への遊技球の入賞を遊技者が狙い易くなる。
また、例えば所定時間、入賞装置１７への遊技球の入賞を検出しない場合には、遊技領域の一部若しくは全部を遅い速度で駆動させて入賞装置１７への遊技球の入賞を容易にすることができる。
また、本発明によれば、遊技領域Ａの一部若しくは全部を連続駆動させることも、間欠駆動（断続駆動）させることも可能で遊技領域の駆動に変化を持たせることができる。
【００１３】
第８の発明は、第１乃至第６のいずれかの発明において、駆動装置９は、駆動制御手段により駆動制御されており、該駆動制御手段は、駆動装置９により所定方向に駆動する遊技領域Ａ１の一部若しくは全部の駆動角度又は駆動方向を変更可能であることを特徴とする弾球遊技機としたことである。
本発明によれば、例えば始動入賞装置１７に最も入賞し易い角度を記憶させておき、遊技状態に応じてその記憶角度になるように駆動制御できる。また左右いずれかの方向への駆動で、入賞装置１７への入賞率が異なる場合には、遊技状態に対応した駆動制御が可能である。
【発明の効果】
【００１４】
本発明によれば、遊技中であっても入賞装置への入賞率に変化を持たせることが可能で、遊技の興趣を向上させた弾球遊技機を提供することができる。
【発明を実施するための最良の形態】
【００１５】
以下、本発明の一実施形態について説明する。なお、本実施形態は本発明の一例にすぎずなんらこれに限定解釈されるものではなく、本発明の範囲内で設計変更可能である。
図１乃至図８は実施例１、図９及び図１０は実施例２、図１１は実施例３、１２は実施例４を示す。
【実施例１】
【００１６】
図１は、本発明を適用した弾球遊技機（パチンコ機ともいう）の遊技盤１を遊技者側から見た状態の概略正面図で、遊技盤１は弾球遊技機を構成する図示しない内枠の前面に着脱自在に備えられる。また、本実施例の弾球遊技機にあっては、遊技に関する表示を行うための表示装置１２を備える。なお、本発明は、表示装置１２を備えない形態も実施の一形態として含める。
そして図示しないハンドルのレバーを時計回り方向に回転させることにより、例えば内蔵する発射ソレノイドを作動させて遊技球を表側の遊技領域Ａに打ち出すことができる。
【００１７】
なお、本実施例は、前記遊技盤１の構成に特徴的な構成を有するため、以下、この遊技盤１を中心に説明し、弾球遊技機を構成しているその他の構成部分については本発明の範囲内で設計変更可能であるためその詳細は省略する。
【００１８】
遊技盤１は、遊技盤ベース本体２、及び該遊技盤ベース本体２に回転可能に一体的に組み込まれる回転盤６とで構成されている遊技盤ベース１ａと、前記回転盤６を回転駆動せしめる駆動装置９と、前記遊技盤ベース本体２と回転盤６の夫々の前面に配設される始動入賞装置１７その他の種々の遊技部材とで構成されている。
【００１９】
遊技部材は、弾球遊技機において遊技に必要な全ての部材を言い、例えば、図１に示すように、表側の遊技領域Ａを区画すると共に、該表側の遊技領域Ａに発射ソレノイドから打ち出される遊技球を導く外側のガイドレール１５と内側のガイドレール１６、前記表示装置９の変動表示を起動すると共に、大当たりとするか否かの抽選処理を起動する始動入賞装置１７，１８、大当たり時に開放するアタッカと称する第一種特別電動役物の大入賞装置１９、遊技球が入賞することにより遊技球の払い出しが行われる一般入賞口となる一般入賞装置２０、遊技領域Ａでの入賞を逃したアウト球を排出するアウト口２１、遊技盤ベース１ａに打たれている多数の遊技釘２２などが一例として挙げられる。また、特に限定されるものではないが、本実施例では、これら遊技部材の全てを透明部材で形成することも可能である。
【００２０】
遊技盤ベース１ａは、本実施例では、図１乃至図３に示すように、正面視真円の円筒孔３を貫通形成してなる駆動しない第２の領域Ａ２としての遊技盤ベース本体２と、該円筒孔３の内径よりも僅かに小径の外径を有し、かつ該円筒孔３内に回転可能に配設される駆動可能な第１の領域Ａ１としての回転盤６とで構成されている。なお、本実施例では、遊技球が転動流下する遊技領域Ａの略全領域にあたる範囲を円筒孔３としている。
前記遊技盤ベース本体２の円筒孔３の前端には、孔中心方向に延設したフランジ部４を周設し、該フランジ部４は、前記回転盤６の外径よりも僅かに小径の内径を有する。このフランジ部４は、前記ベース本体２に回転盤６を配設した際に、回転盤６表面がフランジ部４裏面に接し、回転盤６表面との間で段差を形成するため、可能な限り薄肉に突設されるものとするのが好ましい。なお、このような段差を極力抑える構成として、図８に示すようにフランジ部４の前面４ａを、先端に行くに従って薄肉となるようにテーパ状に構成することも可能で本発明の範囲内である。
また、遊技盤ベース本体２には、円筒孔３の内周と連通して駆動部配設空間５を凹設している。
そして、遊技盤ベース本体２の前面には、図１に示すように、前述した遊技部材、具体的には外側のガイドレール１５と内側のガイドレール１６を備えると共に、前面下方の略中央領域には、アウト口２１と連通する貫通孔２８が凹設されている。
【００２１】
また、本実施例では、遊技盤ベース本体２の全域を非透光性部材（非透明部材）で構成しているが、透光性部材（透明部材）で形成して遊技盤ベース本体２の裏側が視認可能とする構成を採用することも可能である。このように遊技盤ベース本体２は、透光性部材又は非透光性部材のいずれであってもよいが、各遊技部材を固定でき、かつ、容易に変形しない（曲がらない）又は変質しない程度の硬度・強度等を有する材質のものを選択するのが好ましい。
【００２２】
回転盤６は、図１乃至図３に示すように、前記遊技盤ベース本体２の円筒孔３よりも小径で、かつフランジ部４の内径よりも大径の正面視真円に形成されると共に、略中央位置には、表示装置１２を挿入可能な正面視真円の小径円筒孔７が貫通形成されている。また、回転盤６の外径にはギア部１１が周方向に形成されている。
なお、本実施例では、遊技領域Ａの略全域を構成する大きさの回転盤６としているが、回転盤６の大きさ・形状などは特に限定されず本発明の範囲内で設計変更可能である。また本実施例では、遊技盤ベース１ａに対して直交する回転軸を中心に回転盤６が回転可能に構成されるものとするが、回転軸が直交していない状態の場合も本発明の範囲内である。
【００２３】
回転盤６の前面には、前述した遊技部材、具体的には始動入賞装置１７，１８、大入賞装置１９、一般入賞装置２０、アウト口２１、遊技盤ベース１ａに打たれている多数の遊技釘２２などが配設されている。なお、回転盤６に配設される遊技部材はこれらに限定されず本発明の範囲内で設計変更可能である。
【００２４】
また、本実施例では、前記始動入賞装置を２個配設している。
例えば図１に示すように、大入賞装置１９の直上に配設されている第一の始動入賞装置１７と、該第一の始動入賞装置１７から図面上で右方向に４５度ずれた位置に第二の始動入賞装置１８を配設するものとしている。そして、本実施例では、第一の始動入賞装置１７の直近に設けられている遊技釘（障害釘ともいう）２２と、第二の始動入賞装置１８の直近に設けられている遊技釘（障害釘ともいう）２２の釘調整を異なるものとしている。
【００２５】
すなわち、例えば本実施例では、図４に示すように、第一の始動入賞装置１７直近の遊技釘２２（図４（ａ））に比して、第二の始動入賞装置１８の直近の遊技釘２２（図４（ｂ））の方が釘２２と釘２２との間が開いている構成としている。このように、第一の始動入賞装置１７の直近の遊技釘２２と第二の始動入賞装置１８の直近の遊技釘２２の開き度合を異なるものとしていることにより、第一の始動入賞装置１７に入球し難い場合であっても、第二の始動入賞装置１８であれば入球が容易となる。また、始動入賞装置１７（）の傾きが変わることにより、遊技領域が転動流下する遊技球が色々な方向からアプローチ可能となり入球のチャンスも増える。
また本実施例によれば、始動入賞装置１７，１８回りの遊技釘の配設形態も異なるものとした。
なお、夫々の始動入賞装置１７，１８の周辺の遊技釘の調整を異なるようにすれば本発明の範囲内であって、例えば遊技釘２２の傾きを種々異なる傾き調整とすることや、始動入賞装置１７（１８）と遊技釘２２との間の間隔を調整することも可能である。
【００２６】
また、本実施例では、回転盤６の全域を非透光性部材で構成しているが、透光性部材で形成して回転盤６裏側が視認可能とする構成を採用することも可能である。
【００２７】
なお、前述したように遊技盤ベース本体２と回転盤６のいずれか一方もしくは双方を透光性部材で形成することも可能であるが、透光性部材で形成する場合、例えば、透明性の高い硬質の合成樹脂材が一例として挙げられ、さらに具体的には、無色透明のアクリル樹脂材、ポリカーボネート樹脂、ポリアリレート樹脂などが任意に選択される。遊技盤ベース２の全体を構成する透光性部材は無色透明が好ましいが、有色透明部材を採用することも可能である。また仕様によっては遊技盤ベース本体２と回転盤６のいずれか若しくは双方を無色透明部材と有色透明部材とで構成したり、遊技盤ベース本体２と回転盤６のいずれか若しくは双方に色彩・模様を施すことも可能である。但し、遊技盤１の裏側全域に表示装置を配置するような場合には、表示装置による演出に悪影響を及ぼさない範囲内で設計変更可能である。この場合、模様は無色透明の線図が好ましいが、遊技盤１の裏側に配設される表示装置の構成によっては有色模様を施すことも可能である。
また、樹脂以外の材質、例えばガラスなどを採用することも本発明の範囲内であり設計変更可能である。
【００２８】
従って、前記遊技盤ベース本体２の円筒孔３内に、該円筒孔３の後方から回転盤６を挿入すると共に、その回転盤６の前面上縁を前記円筒孔３のフランジ部４内面に当接させて配設すれば、遊技盤ベース本体２に配設した内側のガイドレール１６によって区画された領域が遊技領域Ａとして構成される。
【００２９】
図２中、１２は表示装置を示し、本実施例において表示装置１２は、矩形状の台部１３前面に立ち上げ形成した正面視円筒の突部１４前面に備えられ、該突部１４は前記回転盤６の小径円筒孔７の内径に摺接可能な外径をもって構成されている。
本実施例の表示装置１２は、図３に示すように、回転盤６の小径円筒孔７に突部１４を摺接可能に挿入すると共に、台部１３前面を遊技盤ベース本体２の裏面に当接固定させた際に、回転盤６の前面と表示装置１２の前面とが同一平面に配設されるように突部１４長さが構成されている。なお、表示装置１２の構成は本実施例の構成に何等限定されるものではなく、回転盤６の小径円筒孔７に摺接可能に挿入される構成を有すものであればよい。
【００３０】
駆動装置９は、図５及び図６に示すように、本実施例ではモータ本体１０と該モータ本体１０の回転軸に取付けられたギア１１とで構成されている小型のモータが採用されている。そして、遊技盤ベース本体２の円筒孔３に開口を臨ませて設けられた駆動装置配設空間５にギア１１が収容されると共に、遊技盤ベース本体２の裏面側にモータ本体１０が取付け固定されて配設されている。
【００３１】
そして、該駆動装置９のギア１１は、前記回転盤６のギア部８に噛み合って備えられ、前記駆動装置９のギア１１を介して回転駆動が回転盤６のギア部８に伝達されることにより、回転盤６が所定方向に回転作動する。
なお、本実施例では、前記駆動装置９によって、遊技者側から見て時計回り方向（遊技者側から見て右回り方向）に回転盤６を回転可能に構成している。また、本実施例では、図５に示すように、回転盤６の回転作動を支持する機構として、回動自在に軸支した支持部２９を複数箇所に備えている。
図７は、図１の状態から時計回り方向に回転盤６が回転して、第一の始動入賞装置１７が図面上左上に移動してその開口１７ａを図面上で右方向に向け、そして第二の始動入賞装置１８がアウト口２１の直上に位置して図面上垂直方向に開口１８ａを向けた状態を示す。図中矢印Ｒは回転盤６の回転方向を示す。
【００３２】
なお、駆動装置９によって、回転盤６を時計回り方向（遊技者側から見て右回り方向）と反時計回り方向（遊技者側から見て左回り方向）のいずれか一方若しくは双方に回転可能に構成してもよく、また、３６０度連続回転するように構成することも可能であるが、回転範囲を制限して一定範囲のみ回転可能、例えば左右いずれか一方若しくは双方に４５度ずつ・９０度ずつなど所定角度ずつ回転するように構成することも可能である。また、左右方向に交互に回転させて振り子運動による演出も可能である。
また、駆動装置９は、回転盤６を間欠駆動させることも可能で回転盤６の回転駆動に変化を持たせることができる。
【００３３】
本実施例によれば、遊技領域Ａを備える遊技盤ベース１ａを構成する回転盤６が駆動装置９を介して駆動されるため、第一の始動入賞装置１７・第二の始動入賞装置１８あるいは一般入賞装置２０・遊技釘２２などの遊技部材の位置が変化し、遊技領域Ａ（Ａ１）での遊技球の転動流下が変化する。よって、遊技者は、始動入賞装置１７，１８や一般入賞装置２０などに様々な角度からアプローチすることができる。従って、遊技中であっても入賞装置１７，１８，２０への入賞率に変化を持たせることができる。
また、本実施例によれば、入賞装置１７，１８…の開口１７ａ，１８ａ…位置を上下左右に変位させることができるため、遊技球は様々な方向からアプローチでき、遊技釘２２構成の悪い（入賞装置１７に入賞し難い）遊技機でも入賞装置１７への入賞チャンスが広がる。さらに、入賞装置１７の位置が変位するため、遊技者の発射技量を活かすことでき、高度な発射技量を有している者にとっても遊技の興趣が図れる。
また、本実施例によれば、１つの遊技領域中で駆動する第一の領域Ａ１と駆動しない第二の領域Ａ２が並存する新規な構造を遊技者に提供でき、遊技者は遊技領域の変化を楽しみつつ遊技を行うことも出来る。
さらに上述のように、第一の始動入賞装置１７に入賞し難い遊技釘２２構成と、第二の始動入賞装置１８に入賞し易い遊技釘２２構成を備えているため、遊技中であっても入賞装置への入賞率に変化を持たせることが可能で、遊技の興趣を向上できる。また本実施例によれば、遊技領域Ａ（Ａ１）の略全域を駆動させる形態であるため、遊技者は遊技領域全体が駆動するダイナミックな動きを楽しみつつ遊技を行うことが出来る。
【００３４】
前記回転盤６は、図示しない駆動制御手段により駆動制御することも可能である。
駆動制御手段は、回転盤６の駆動速度又は駆動角度若しくは駆動方向などを本発明の範囲内で変更することが可能である。
本実施例において、回転盤６を駆動制御する形態としては具体的には次の通りである。
例えば、図１に示す状態で遊技を続けていた時に、入球し難い第一の始動入賞装置１７に一定時間経っても入球しない場合には、一定時間経過後、駆動装置９に図示しない制御部から信号を送って回転盤６を図７に示す状態へと時計回り方向に４５度回転駆動させ、その状態で一定時間遊技球の入球待ちをし、第二の始動入賞装置１８に遊技球の入球があると、駆動装置９に制御部から信号を送って回転盤６を図１に示す状態へと反時計回り方向に４５度回転駆動させる。すなわち、図７の状態であると、第二の始動入賞装置１８への入球を契機に表示装置１２の変動表示を起動すると共に、大当たりとするか否かの抽選処理が起動されて大当たりとなったときに、図７の状態のままでは第二の始動入賞装置１８の直下には大入賞装置１９が存在せず、大入賞装置１９は左上方に位置している状態で、遊技者にとって不利な状態となるため、図１の状態に戻して大入賞装置１９への入球ができるようにする。なお、図７の状態で第一の始動入賞装置１７に入球があった場合でも同様である。
また、第一の始動入賞装置１７に入賞したか否かに係わりなく所定時間毎に駆動装置９へと制御部から信号を送って回転盤６を左右方向に回転駆動させる。このような場合も図７の状態で第二の始動入賞装置１８に入球があった場合には、上記同様に図１の状態に復帰させる。
【実施例２】
【００３５】
図９及び図１０は本発明の実施例２の遊技盤を示す概略正面図である。
本実施例では、表示装置１２として遊技盤１の遊技領域Ａ全域にて遊技に関する表示を行い得る大型の表示装置とすると共に、遊技領域Ａの略全域を構成する回転盤６を透光性部材で形成して、裏側に配設する前記大型の表示装置１２の表示を遊技領域Ａ全域で表示し得るものとした。
また本実施例では、図示するように遊技球が転動流下するステージ２３，２４を回転盤６の前面略中央に備えるものとしている。なお、このステージ２２，２３及び本実施例で回転盤６上に配設される各遊技部材にあっては遊技盤１裏側の表示装置１２の表示を妨げないように透光性部材で構成するものとする。
従って、本実施例によれば、前記実施例１のように回転盤６に表示装置挿入用の小径円筒孔７を貫通形成することが不要となり、加工コスト及び加工手間を低減可能となる。
その他の構成及び作用効果にあっては、前記実施例１の構成・作用効果と同様であるためその説明は省略する。
【実施例３】
【００３６】
図１１は本発明の実施例３を示す
本実施例では、遊技領域Ａを水平方向で上下に二分し、その上下の領域Ｄ１，Ｄ２には、前記二分する線Ｂを境にして夫々同一構成の遊技釘２２・風車２７・始動入賞装置１７，１８を対称に配設した実施の一例である。なお、その他の構成及び作用効果は実施例１と同様であるためその説明は省略する。また、本実施例にあっても実施例２と同様に大型の表示装置１２を配設すると共に、小径円筒孔７を備えない透光性部材からなる回転盤６を配設する実施の形態も採用可能である。
本発明によれば、遊技領域が１８０度回転駆動した場合でも、同一の遊技部材構成で遊技を行うことができる。すなわち、例えば上下の領域Ｄ１，Ｄ２に夫々の開口１７ａ，１８ａを対向させて始動入賞装置１７，１８を１つずつ備えているため、始動入賞装置１７，１８が再び同一位置に来る構成とできる。
【００３７】
なお本実施例において、第一の入賞装置１７の直近に設けられている遊技釘２２（障害釘ともいう）と、第二の始動入賞装置１８の直近に設けられている遊技釘２２（障害釘ともいう）の釘調整を異なるものとすることも可能である。
【００３８】
すなわち、例えば、実施例１と同様に、第一の始動入賞装置１７直近の遊技釘２２の釘２２と釘２２との間Ｇ１に比して、第二の始動入賞装置１８の直近の遊技釘２２の釘２２と釘２２との間G２の方が開いている構成とする（図４参照）。このように、第一の始動入賞装置１７の直近の遊技釘２２と第二の始動入賞装置１８の直近の遊技釘２２の開き度合を異なるものとすることで、第一の始動入賞装置１７に入球し難い場合であっても、第二の始動入賞装置１８であれば入球が容易となる。
【００３９】
従って、例えば、図１１に示す状態（第一の始動入賞装置１７が下方に位置している状態）で遊技を続けていた時に、入球し難い第一の始動入賞装置１７に一定時間経っても入球しない場合には、一定時間経過後、駆動装置９に図示しない制御部から信号を送って回転盤６を時計回り方向に１８０度回転駆動させ、入球し難い第一の始動入賞装置１７を上方に位置させると共に、入球し易い第二の始動入賞装置１８を下方に位置させる。そして、その状態で一定時間遊技球の入球待ちをし、第二の始動入賞装置１８に遊技球の入球があると、駆動装置９に制御部から信号を送って回転盤６を図１１に示す状態へと時計回り方向に１８０度回転駆動させる。すなわち、第二の始動入賞装置１８を下方に位置させた状態であると、第二の始動入賞装置１８への入球を契機に表示装置１２の変動表示を起動すると共に、大当たりとするか否かの抽選処理が起動されて大当たりとなったときに、その状態のままでは第二の始動入賞装置１８の直下には大入賞装置１９が存在せず、大入賞装置１９は上方に位置している状態で、遊技者にとって不利な状態となるため、図１１の状態に戻して大入賞装置１９への入球ができるようにする。
【実施例４】
【００４０】
図１２は本発明の実施例４を示す
本実施例では、回転盤６を遊技領域の一部、すなわち遊技盤１の略中央位置にて回転可能に小径に配設する実施の一形態で、本実施例にあっては、回転盤６の前面には遊技釘２２のみを配設し、その他の遊技部材は、駆動しない第二の領域Ａ２である遊技盤ベース本体２の前面に配設する。なお、その他の構成及び作用効果は実施例１乃至実施例３と同様であるためその説明は省略する。
【００４１】
本実施例における回転盤６に配設した遊技釘２２構成は、図１２にて下方に配設されている一群の第一の遊技釘群２５と、上方に配設されている一群の第二の遊技釘群２６とからなり、第一の遊技釘群２５の釘調整に比して第二の遊技釘群２６の釘調整を緩やかにしている。具体的には、例えば始動入賞装置１７の直上に位置する二本の遊技釘（障害釘ともいう）２２，２２の間の間隔が、第一の遊技釘群２５の障害釘２２，２２はその間隔Ｇ３を狭くして入球が困難であるのに比して、第二の遊技釘群２６の障害釘２２，２２はその間隔Ｇ４を広くして入球を易しくしている。
本実施例によれば、回転盤６を１８０度回転駆動させることにより、始動入賞装置１７に入賞し難い遊技釘構成（第一の遊技釘群２５）と、始動入賞装置１７に入賞し易い遊技釘構成（第二の遊技釘群２６）の位置が交互に変位するため、遊技中であっても入賞装置１７への入賞率に変化を持たせることが可能で、遊技の興趣を向上できる。
【図面の簡単な説明】
【００４２】
【図１】本発明遊技機を構成する遊技盤の一実施例を示す概略正面図。
【図２】図１に示す遊技盤を概略で示す分解斜視図。
【図３】図１に示す遊技盤の要部縦断面図。
【図４】（ａ）は第一の始動入賞装置直近の遊技釘の間隔を示し、（ｂ）は第二の始動入賞装置直近の遊技釘の間隔を示す概略図。
【図５】回転盤のギア部と駆動装置のギアとが噛み合っている状態を示す縦断面図。
【図６】回転盤のギア部と駆動装置のギアとが噛み合っている状態を一部切欠いて示す概略図。
【図７】遊技盤の一部が図１の状態から時計回り方向に４５度回転した状態を示す遊技盤の概略正面図。
【図８】遊技盤ベース本体のフランジ部形状の他の形態を示す概略断面図。
【図９】実施例２の遊技盤を示す概略正面図。
【図１０】図９に示す遊技盤を概略で示す分解斜視図。
【図１１】実施例３の遊技盤を示す概略斜視図。
【図１２】実施例４の遊技盤を示す概略斜視図。
【符号の説明】
【００４３】
１  遊技盤
１ａ  遊技盤ベース
２  遊技盤ベース本体
６  回転盤
９  駆動装置
１７，１８  始動入賞装置
２２  遊技釘
Ａ  遊技領域
【図１】
2006149639.tif 000003
【図２】
2006149639.tif 000004
【図３】
2006149639.tif 000005
【図４】
2006149639.tif 000006
【図５】
2006149639.tif 000007
【図６】
2006149639.tif 000008
【図７】
2006149639.tif 000009
【図８】
2006149639.tif 000010
【図９】
2006149639.tif 000011
【図１０】
2006149639.tif 000012
【図１１】
2006149639.tif 000013
【図１２】
2006149639.tif 000014